(57)【要約】  化粧品（ＰＣ）用の管状カートリッジ（１３）は、化粧品（ＰＣ）へのアクセスを可能にするための第１の長手方向端部（Ｐ）と、第２の長手方向端部（Ｓ）とを備えている。  カートリッジ（１３）は、-  外側チューブ（１）と、-  制御スリーブ（２）と、-  化粧品（ＰＣ）用のレセプタクル（３）と、-  制御スリーブ（２）と一体で回転する底部要素（４）と、をさらに備える。  カートリッジ（１３）は、カートリッジ（１３）に対するベース（８）の相対的な回転によって化粧品（ＰＣ）用のレセプタクル（３）が移動するように、ベース（８）に取外し可能に結合されるように構成されている。底部要素（４）は、カートリッジ（１３）の第２の長手方向端部（Ｓ）を介したカートリッジ（１３）へのアクセスの閉鎖に寄与する。
2021505318.tif 000002
【特許請求の範囲】
【請求項１】
化粧品（ＰＣ）へのアクセスを可能にするための第１の長手方向端部（Ｐ）と、長手方向軸（Ｘ）に関して反対側の第２の長手方向端部（Ｓ）とを備える、化粧品（ＰＣ）用の管状のカートリッジ（１３）であって、
当該カートリッジ（１３）が、
少なくとも１つの螺旋溝（１２Ａ）を備える外側チューブ（１）と、
少なくとも１つの長手方向案内長穴（２Ｂ）を備える制御スリーブ（２）と、
前記外側チューブ（１）の前記螺旋溝（１２Ａ）および前記制御スリーブ（２）の前記長手方向案内長穴（２Ｂ）に係合する、化粧品（ＰＣ）用のレセプタクル（３）と、
前記制御スリーブ（２）と一体で回転する底部要素（４）と、
をさらに備え、
当該カートリッジ（１３）に対するベース（８）の相対的な回転によって、化粧品（ＰＣ）用の前記レセプタクル（３）が前記外側チューブ（１）に対して当該カートリッジ（１３）の前記長手方向軸（Ｘ）に沿って移動するように、前記ベース（８）に取外し可能に結合されるように構成された、管状カートリッジ（１３）において、
前記底部要素（４）が、当該カートリッジ（１３）の前記第２の長手方向端部（Ｓ）を介した当該カートリッジ（１３）へのアクセスの閉鎖に寄与し、前記底部要素（４）が、当該カートリッジが前記ベースに結合されたときに当該カートリッジと前記ベースとの間に保持力を発生させることに寄与するように構成された強磁性材料または磁石のリング（４Ｂ、ＭＢ）を備え、前記底部要素（４）が、半径方向外側で前記外側チューブ（１）によって覆われていることを特徴とする、カートリッジ（１３）。
【請求項２】
前記底部要素（４）が、当該カートリッジ（１３）の前記第２の長手方向端部（Ｓ）を介した当該カートリッジ（１３）へのアクセスを閉鎖していることを特徴とする、請求項１に記載のカートリッジ（１３）。
【請求項３】
前記底部要素（４）の外側半径方向縁部が、前記外側チューブ（１）の内側半径方向表面と直接滑り接触していることを特徴とする、請求項１または２に記載のカートリッジ（１３）。
【請求項４】
前記外側チューブ（１）が、実質的に当該カートリッジ（１３）の高さ全体に沿って延びていることを特徴とする、請求項１から３のいずれか一項に記載のカートリッジ（１３）。
【請求項５】
前記底部要素（４）が、好ましくは前記外側チューブ（１）とともに当該カートリッジ（１３）の前記第２の長手方向端部（Ｓ）を形成することに寄与していることを特徴とする、請求項１から４のいずれか一項に記載のカートリッジ（１３）。
【請求項６】
前記底部要素（４）が、当該カートリッジ（１３）の前記第２の長手方向端部（Ｓ）から離れた位置に配置され、前記第２の長手方向端部（Ｓ）から奥まっていることを特徴とする、請求項１から５のいずれか一項に記載のカートリッジ（１３）。
【請求項７】
前記底部要素（４）が、化粧品（ＰＣ）用の前記レセプタクル（３）に対向する第１の面と、長手方向において反対側の第２の面とを備え、前記第２の面が、前記ベース（８）に係合するように構成された結合部材（ＭＣ、４Ｂ、４７）を備えていることを特徴とする、請求項１から６のいずれか一項に記載のカートリッジ（１３）。
【請求項８】
前記外側チューブ（１）が、前記螺旋溝（１２Ａ）を備えた技術的部分（１２）を囲む被覆部分（１１）を備えていることを特徴とする、請求項１から７のいずれか一項に記載のカートリッジ（１３）。
【請求項９】
前記化粧品（ＰＣ）が口紅のスティックであることを特徴とする、請求項１から８のいずれか一項に記載のカートリッジ（１３）。
【請求項１０】
前記底部要素（４）が、強磁要素を含む環状領域を備えていることを特徴とする、請求項１から９のいずれか一項に記載のカートリッジ（１３）。
【請求項１１】
前記底部要素（４）が、実質的に平坦な中央外面を有していることを特徴とする、請求項１から１０のいずれか一項に記載のカートリッジ（１３）。
【請求項１２】
化粧品（ＰＣ）用の分配デバイス（１０）であって、請求項１から１１のいずれか一項に記載のカートリッジ（１３）と、ベース（８）、好ましくは口紅のスティックとを備え、前記カートリッジ（１３）と前記ベース（８）とが取外し可能に結合されていることを特徴とする、分配デバイス（１０）。
【請求項１３】
前記ベース（８）内に永久磁石（９）が設けられていることを特徴とする、請求項１２に記載の分配デバイス（１０）。
【請求項１４】
前記カートリッジが、請求項１０に記載のカートリッジであり、ベース上に組み立てられる構成において、強磁要素を含む前記リング（４Ｂ）から前記永久磁石（９）を分離する空隙（ｅ）を表す間隔が０.５ｍｍ未満であり、好ましくは０.２ｍｍ未満であることを特徴とする、請求項１３に記載の分配デバイス（１０）。
【発明の詳細な説明】
【技術分野】
【０００１】
本発明は、化粧品用の容器に関する。より詳細には、本発明は、互いに取外し可能に結合されるように構成されたベースとカートリッジとを備える化粧品分配デバイスに関する。本発明は、特に、口紅分配デバイスに関する。
【背景技術】
【０００２】
化粧品分配デバイスは、ベースとベースに結合することができるカートリッジとを備えることがある。このことは、口紅分配デバイスの場合にしばしば当てはまる。その場合、カートリッジは、口紅のスティックを取り囲むとともに、スティックにアクセスすることを可能にする働きをする。このことを実現するために、カートリッジは口紅のスティック用のレセプタクルを備える。ベースの機能は、特に、口紅分配デバイスを把持することを可能にすることである。
【０００３】
カートリッジとベースとは、口紅分配デバイスの長手方向軸に沿って連続的に配置される。さらに、カートリッジとベースとは結合され、口紅分配デバイスの長手方向軸に対応する回転軸の周りを互いに対して回転可能である。したがって、ベースをカートリッジに対して回転させることによって、口紅のスティック用のレセプタクルを分配デバイスの長手方向軸に沿って移動させることが可能になる。
【０００４】
通常、ベースとカートリッジとは永久的に結合される。したがって、口紅のスティックが消費されると、新しい分配デバイスを購入することが必要になる。
【０００５】
したがって、上記の欠点を解消するために、ベースとカートリッジとが取外し可能に結合された分配デバイスが製造されている。したがって、口紅のスティックが消費されると、ベースとカートリッジとを分離してカートリッジのみを交換することが可能であり、この方が環境保護の点で有利である。さらに、ユーザは、単一のベースと、それぞれに異なる色の口紅のスティックに対応するいくつかのカートリッジとを有してもよい。
【０００６】
しかし、カートリッジは、ベースに結合されていないときに、粒子による汚染を受けやすい。カートリッジのみを、たとえばハンドバッグに入れて運ぶかまたはハンドバッグに収納する際、埃またはパンくずなどの粒子がカートリッジに到達する可能性が高い。したがって、化粧品の完全性が損なわれる。
【発明の概要】
【発明が解決しようとする課題】
【０００７】
本発明の目的は、ベースに取外し可能に結合することができ、収納された化粧品がより適切に保護される化粧品カートリッジを提供することである。
【課題を解決するための手段】
【０００８】
これを実現するために、本発明は、化粧品へのアクセスを可能にする第１の長手方向端部と、長手方向軸に関して反対側の第２の長手方向端部とを備える、化粧品用の管状カートリッジであって、
-  少なくとも１つの螺旋溝を備える外側チューブと、
-  少なくとも１つの長手方向案内長穴を備える制御スリーブと、
-  外側チューブの螺旋溝および制御スリーブの長手方向案内長穴に係合する、化粧品用のレセプタクルと、
-  制御スリーブと一体で回転する底部要素とをさらに備え、
カートリッジは、カートリッジに対するベースの相対的な回転によって化粧品用のレセプタクルが外側チューブに対してカートリッジの長手方向軸に沿って移動するように、ベースに取外し可能に結合されるように構成される管状カートリッジにおいて、
底部要素がカートリッジの第２の長手方向端部を介したカートリッジへのアクセスを閉じることに寄与し、底部要素が、カートリッジがベースに結合されたときにカートリッジとベースとの間に保持力を発生させることに寄与するように構成された強磁性材料または磁石のリングを備え、底部要素が、半径方向外側で外側チューブによって覆われることを特徴とする管状カートリッジを提供する。
【０００９】
有利なことに、この構成は、カートリッジがベースから取り外され、たとえばユーザのハンドバッグに収納されるときにカートリッジを保護することを可能にする。ここで、「保護」という用語は、カートリッジがベースから取り外されたときに底部要素の回転を介して制御スリーブが動作することがほとんど不可能である局面、および小さい異物がカートリッジの第２の長手方向端部から進入することによるカートリッジの潜在的な汚染が防止される局面の２つの局面を対象とする。底部要素は、外側チューブによって半径方向外側で覆われているので、制御スリーブを回転させるために底部要素を２本の指の間に把持することは不可能であり、さらに、底部要素の直径が小さいと仮定すると、たとえ小指を挿入しても底部要素を回転させることは非常に困難であり、または場合によっては不可能である。したがって、カートリッジがベースから取り外された後、化粧品用のレセプタクルはその現在位置のままであり、化粧品は、小さい異物のカートリッジへの進入から完全に保護される。第１の長手方向端部が底部要素によって閉じられるだけでなく、第１の長手方向端部の所に、小さい異物が前方からカートリッジに進入して口紅のスティックを汚染することを防止するために小さいプラグまたはキャップが設けられ得ることに留意されたい。
【００１０】
制御スリーブを把持することによって回転させることが不可能であることにも留意されたい。
【００１１】
したがって、単一の部品、すなわち、カートリッジの底部要素は２つの異なる機能を実現することができる。第１に、底部要素はカートリッジへのアクセスを閉じ、したがって、カートリッジがベースに結合されないときに、ユーザによる化粧品へのアクセスを防止するか、またはカートリッジがたとえばハンドバッグの底部にあるときに塵埃粒子のカートリッジへの到達を防止することを可能にする。第２に、底部要素は場合によっては、ベースから発生した回転移動を制御スリーブに伝達することを可能にする。したがって、底部要素は、化粧品レセプタクルを特に長手方向に移動させるのを可能にする。
【００１２】
さらに、本発明の意味の範囲内では、「底部要素が、カートリッジの第２の長手方向端部を介したカートリッジへのアクセスを閉じることに寄与する」ことは、底部要素がカートリッジの長手方向軸に沿ったアクセスを妨害することを意味することに留意されたい。したがって、外側チューブは、半径方向において底部要素を囲み、カートリッジの第２の長手方向端部への半径方向のアクセスを閉じることができる。さらに、このことは、底部要素だけで第２の長手方向端部を介したカートリッジへのアクセスが十分に閉じられることを意味する。
【００１３】
さらに、本発明の好ましい実施形態では、場合によっては、以下の構成のうちの１つまたは複数が使用されてもよい。
-  底部要素は、カートリッジの第２の長手方向端部を介したカートリッジへのアクセスを閉じ、したがって、単一の部材、すなわち底部要素によってカートリッジへのアクセスを閉じることができる。
-  底部要素は、制御スリーブの長手方向端部用の支持部を備え、したがって、底部要素と制御スリーブとの間の回転結合は簡単に実現される。
-  底部要素の外側半径方向縁部は、外側チューブの内側半径方向表面と直接滑り接触し、したがって、外側チューブに対する底部要素の構成はより単純になる。
-  外側チューブは、底部要素の周りを長手方向に延び、底部要素の高さ全体に沿って延び、したがって、カートリッジがベースに結合されないときに、外側チューブは、底部要素が偶発的に回転するのを防止し、したがって、化粧品用のレセプタクルが偶発的に移動するのを防止する。
-  外側チューブは、実質的にカートリッジの高さ全体に沿って延び、したがって、外側チューブは、カートリッジ用の保護シースを形成し、底部要素および制御スリーブを回転させるために２本の指の間に底部要素を把持することは不可能である。
-  底部要素は、好ましくは外側チューブとともにカートリッジの第２の長手方向端部を形成することに寄与し、したがって、外側チューブは底部要素を保護する。
-  底部要素は、カートリッジの第２の長手方向端部から離れた位置に配置され、第２の長手方向端部から奥まっており、したがって、カートリッジがベースに結合されていないときに、底部要素が保護され、底部要素が偶発的に回転し、それによって制御スリーブを動かす可能性がなくなる。
-  化粧品用のレセプタクルは、制御スリーブの長手方向案内長穴を通過し、外側チューブの螺旋溝内に配置される少なくとも１つの案内スタッドを備え、したがって、単純な機構によって化粧品用のレセプタクルをカートリッジの長手方向軸に沿って移動させることが可能になる。
-  案内スタッドは有利なことにピンであり、したがって、成形によって容易に得られる。
-  底部要素は、化粧品用のレセプタクルに対向する第１の面と、長手方向において反対側の第２の面とを備え、第２の面は、ベースに係合するように構成された結合部材を備え、その結果、底部要素は、ベースと制御スリーブをカートリッジの長手方向軸の周りを回転可能に一体で回転するように固定する。
-  底部要素とスリーブとは一体化され、したがって、カートリッジは、少数の別個の部分を有する。
-  外側チューブは、螺旋溝を備える技術的部分を囲む被覆部分を備え、したがって、外側チューブは、各々がそれ自体の機能を有する２つの別個の部分を備え、被覆部分は、外側チューブを構造的に補強し、技術的部分は、レセプタクルをカートリッジの長手方向軸に沿って移動させるための機構を実現することを可能にする。
-  カートリッジは、第１の円筒状部分と、第１の円筒状部分の後に続けて配置された第２の円筒状部分とを有し、第２の円筒状部分は、底部要素を備え、直径が第１の円筒状部分の直径よりも大きく、したがって、第２の円筒状部分は、底部要素とベースとの間または底部要素と制御スリーブとの間またはベースと制御スリーブとの間に結合機構を収容するためのより大きい内部空間を有する。
-  化粧品は口紅のスティックである。
-  底部要素は、強磁要素を含む環状領域を備え、したがって、カートリッジ内に永久磁石が存在しなくても磁気結合が容易に実現される。
-  底部要素は、実質的に平坦な中央外面（Ｘ軸に垂直な中央平面内に位置し、好ましくはわずかに奥まるように形成される）を有し、それによって、カートリッジをハンドバッグに入れたときに、カートリッジ底部側に異物体または異物（foreign objects or bodies）が閉じ込められることを見つける可能性が著しく低下する。
【００１４】
本発明によれば、上述のようなカートリッジとベースとを備え、カートリッジとベースとが取外し可能に結合される化粧品分配デバイスも提供される。
【００１５】
１つの選択肢によれば、ベース内に永久磁石が設けられる。ベースはケースの重要な部分であるので、カートリッジを交換する場合には保存され、したがって、永久磁石がカートリッジとともに破棄されることはなく、その代わりに永久磁石はベース内に保存される。
【００１６】
１つの選択肢によれば、カートリッジがベース上に組み立てられる構成では、強磁要素を含むリングから永久磁石を分離する空隙（ｅ）を表す間隔は０.５ｍｍ未満であり、好ましくは０.２ｍｍ未満である。
【００１７】
さらに、化粧品分配デバイスは、カートリッジの化粧品用のレセプタクル内に配置された口紅のスティックを備えることが好ましい。
【００１８】
次に、以下の図を用いて、本発明のいくつかの実施形態について、非制限的な例として説明する。
【図面の簡単な説明】
【００１９】
【図１】カートリッジと、ベースと、キャップとを備える本発明の一実施形態による、長手方向軸を含む平面における分配デバイスの断面図を示し、ベースを上面図で表す図である。
【図２】化粧品用のレセプタクルが上昇位置にある、同じ断面におけるこのデバイスの図である。
【図３】この場合も上述の断面における、結合されていないベースとカートリッジとを表す図である。
【図４】第２の実施形態による分配デバイスの、図１と同様の図である。
【図５】第２の実施形態による分配デバイスの、図２と同様の図である。
【図６】第２の実施形態による分配デバイスの、図３と同様の図である。
【図７】第３の実施形態によるカートリッジの外側チューブの被覆部分の斜視図である。
【図８】外側チューブ用の技術的部分の断面図である。
【図９】本発明の第３の実施形態によるカートリッジ用の制御スリーブの斜視図である。
【図１０】第３の実施形態の分配デバイス用の、化粧品用のレセプタクル、底部要素、および保護シェルを有さないベースの斜視図である。
【図１１】第３の実施形態の変形実施形態による、ベースとカートリッジとの間の磁気保持インターフェースをより詳細に示す図である。
【発明を実施するための形態】
【００２０】
明確にするために、説明する実施形態を理解するうえで有用な要素のみを図示し、それらについて詳述する。
【００２１】
図において、それぞれに異なる実施形態に共通する構造要素および／または機能要素が同じ参照符号を有することに留意されたい。したがって、特に明記しない限り、そのような要素は同一の構造特性、寸法特性、および材料特性を有する。表示のスケールは図ごとに異なる場合がある。
【００２２】
本発明による化粧品分配デバイス１０は、ベース８と、カートリッジ１３とを備え、場合によっては、図１および図４では仮想線で表されたキャップ１５を備える。分配デバイス１０は、図１〜図３における本発明の第１の実施形態による概略図および図４〜図６における本発明の第２の実施形態による概略図を用いて表される。図７〜図１０は第３の実施形態に関する。図１１は、第３の実施形態の変形実施形態に関する。
【００２３】
ベース８とキャップ１５とはともに、化粧品分配デバイスを強化させるために設けられる装飾的な設定を形成する。ベースとキャップとは特に、極めて美しい装飾、または場合によっては豪華な特注の装飾を有してもよい。
【００２４】
カートリッジ１３は、以下により詳細に説明するように、外側チューブ１と、制御スリーブ２と、口紅のスティックＰＣ用のレセプタクル３と、底部要素４とを備える。
【００２５】
説明する実施形態では、分配デバイス１０は口紅ケースである。したがって、分配デバイス１０は口紅のスティックＰＣを含む。口紅のスティックＰＣは、固体または半固体材料、特にペースト状材料の形態をしており、ユーザの唇に擦り付けることによって塗布される。
【００２６】
さらに、分配デバイス１０は、概ね円筒形状であり、長手方向軸Ｘを有する。分配デバイス１０は、第１の長手方向端部Ｐと第２の長手方向端部Ｓとの間を延びる。分配デバイス１０の第２の長手方向端部Ｓは、ユーザがスティックＰＣを唇に塗布するときにユーザの唇から最も遠い端部である。以下の説明では、分配デバイス１０の部材を参照するときに、上記で定義した第１の長手方向端部Ｐおよび第２の長手方向端部Ｓも参照する。さらに、「内側の」および「外側の」という形容詞はそれぞれ、分配デバイス１０の内部および外部に対して使用される。さらに、中央平面は、長手方向軸Ｘに垂直な平面として定義される。
【００２７】
分配デバイス１０は、図１および図４に示す閉鎖位置にあることができ、その場合、キャップ１５は、第１の長手方向端部Ｐからカートリッジ１３の内部へのアクセスを閉じる。分配デバイス１０は、図２、図３、および図５、図６に示す開放位置にあることもでき、その場合、カートリッジ１３の内部に第１の長手方向端部Ｐからアクセス可能である。
【００２８】
ベース８とキャップ１５とは、たとえば磁気的手段または機械的手段によって協働するように構成され、それによって、分配デバイス１０が閉鎖位置にあるときに、カートリッジ１３がベース８およびキャップ１５によって分配デバイス１０の外部から隠されることに留意されたい。
【００２９】
さらに、ベース８とカートリッジ１３とは、以下により詳細に説明するように取外し可能に結合することができる。ベース８とカートリッジ１３とは、図１、図２、および図４、図５では結合されている。ベース８とカートリッジ１３とは、図３および図６では結合されていない状態で示されている。
【００３０】
たとえば、ユーザは、口紅のスティックＰＣが消費されると、交換用のカートリッジ１３を購入することを望む場合がある。ユーザは、各々が異なる色の口紅のスティックＰＣを含むいくつかのカートリッジ１３を、たとえばハンドバッグに入れておくことを望む場合もある。ユーザは、特定の状況、たとえば職場の設定では特定のベース８およびキャップ１５を使用してカートリッジ１３を取り囲み、別の状況、たとえばパーティの設定では別のベース８／キャップ１５アセンブリを使用してカートリッジ１３を取り囲むことを望む場合もある。したがって、カートリッジ１３は、場合によっては長期間にわたってベース８から外されていることが多い。したがって、埃がカートリッジ１３に進入し、口紅のスティックＰＣを汚染する可能性がある。
【００３１】
ベース８は、概ね円筒形状を有し、ベース８の外壁を形成する保護シェル５を備える。保護シェル５は、長手方向軸Ｘに沿って延びる円筒状壁５Ａを備える。さらに、保護シェル５は、長手方向軸Ｘに垂直な平面内を延びる平壁５Ｂを備える。平壁５Ｂは保護シェル５の底部を形成する。したがって、平壁５Ｂは、保護シェル５とベース８の両方の第２の長手方向端部Ｓを形成する。
【００３２】
さらに、ベース８は、ベース８とカートリッジ１３とが取外し可能に結合されたときに底部要素４に対向する平壁５Ｂの面上に位置する結合要素６を備える。結合要素６は、以下に詳細に説明するようにベース８をカートリッジ１３に取外し可能に結合することを可能にする機能を有する。
【００３３】
ベース８は特に、射出成形プラスチックで作られてもよい。保護シェル５と結合要素６とは、一体化されてもよく、または別々に形成され、たとえば接着によって組み立てられてもよい。保護シェル５と結合要素６とは、一体で回転する。さらに、ベース８は、円形、方形、または場合によっては六角形の断面を有してもよい。
【００３４】
第１の実施形態によれば、結合要素６は、平坦な円板を備え、さらに中央平面内を延び、本明細書では磁石ＭＢの形態である永久的に磁化された要素を周方向に保持する。磁石ＭＢは、概ねリング形状を有し、結合部材６の半径方向周辺縁部上で長手方向軸Ｘの周りを周方向に延びている。したがって、平坦な円板は、磁石ＭＢを保持するための周方向くぼみを有し、それによって、平坦な円板の上面と磁石ＭＢとは、長手方向軸Ｘに沿って実質的に同じ高さに配置される。この実施形態では、磁石ＭＢは基本的に、鉄、特に、フェライトの形態の鉄、たとえば、ストロンチウムフェライトまたはバリウムフェライトを含む。いくつかの変形実施形態では、磁石ＭＢは、ニオジミウムと鉄とホウ素との合金、またはアルミニウムとニッケルとコバルトとの合金、または上述の材料もしくは合金のうちの１つを含む粉末を含有するポリマー材料を含む。
【００３５】
図１１では、磁石ＭＢは、９として示され、２つのプラスチック部分６、７２をスナップ嵌めすることによって所定の位置に保持された、環状の磁石である。
【００３６】
代表的な例では、環状の磁石ＭＢの外径Ｄ９２は１６ｍｍである。代表的な例では、環状の磁石ＭＢの内径Ｄ９１は１２ｍｍである。
【００３７】
環状の磁石９の軸方向厚さは１ｍｍから２ｍｍの間である。
【００３８】
第２の実施形態によれば、結合要素６は、特に図１０を見るとわかるように鍵の形の部材６７を備える。
【００３９】
この図では、ベース８はわずかな変形形態として提示されていることに留意されたい。結合要素６は円筒状スカートを有し、円筒状スカートは、長手方向において磁石ＭＢから第２の長手方向端部に向かって延びる。円筒状スカートは、必要に応じて保護シェル５と結合部材６とを一体で回転するように固定するために回転結合溝７２を有する。
【００４０】
図１〜図６のベース８では、保護シェル５と結合要素６とが一体化される。その理由は、この２つの要素は一体であるからである。保護シェル５と結合要素６とは接着されてもよい。
【００４１】
上記で指摘したように、カートリッジ１３は、外側チューブ１と、制御スリーブ２と、口紅のスティックＰＣ用のレセプタクル３と、底部要素４とを備える。
【００４２】
外側チューブ１は、図７および図８にも示されており、カートリッジ１３用の外側円筒状壁を形成する機能を有する。したがって、外側チューブ１は、軸Ｘの概ね円筒形状を有する。外側チューブ１は、口紅のスティックＰＣにアクセスすることを可能にするようになっている第１の長手方向端部Ｐと、反対側の第２の長手方向端部Ｓとを有する。外側チューブ１の第１の長手方向端部Ｐはまた、カートリッジ１３用の第１の長手方向端部Ｐを形成する。さらに、外側チューブ１はカートリッジ１３の高さ全体に実質的に沿って延びている。したがって、外側チューブ１はカートリッジ１３用の保護シースを形成する。
【００４３】
図７および図８に示すように、外側チューブ１は、技術的部分１２を囲む被覆部分１１を備える。被覆部分１１は、外側チューブ１についての適切な構造補強を可能にする。技術的部分１２は、カートリッジ１３の長手方向軸Ｘに沿って延びる２つの螺旋溝１２Ａを円筒状内面上に備える。この２つの螺旋溝１２Ａは、互いの反対側に配置される。
【００４４】
さらに、外側チューブ１は、第１の円筒状部分１Ａと、第１の円筒状部分１Ａの後に続けて配置された第２の円筒状部分１Ｂとを有する。第１の円筒状部分１Ａは、第２の円筒状部分１Ｂよりもカートリッジ１３の第１の長手方向端部Ｐに近い。第２の円筒状部分１Ｂは、直径が第１の円筒状部分１Ａの直径よりも大きく、たとえば、外径ではそれぞれに１７ｍｍおよび１６ｍｍである。
【００４５】
したがって、カートリッジ１３も、第１の円筒状部分と、第１の円筒状部分の後に続けて配置された第２の円筒状部分とを有する。第２の円筒状部分は、直径が第１の円筒状部分の直径よりも大きい。
【００４６】
同様に、被覆部分１１は、第１の円筒状部分１１Ａと、第１の円筒状部分１１Ａと第１の円筒状部分１１Ａの後に続けて配置された第２の円筒状部分１１Ｂとを有する。第１の円筒状部分１１Ａは、第２の円筒状部分１１Ｂよりも外側チューブ１の第１の長手方向端部Ｐに近い。第２の円筒状部分１１Ｂは、直径が第１の円筒状部分１１Ａの直径よりも大きい。
【００４７】
外側チューブの下縁部１１Ｃが底部要素４（スカート機能）ならびに制御スリーブ（２、２２）用の一体的な半径方向保護部を形成することに留意されたい。言い換えれば、底縁部１１Ｃは、底部まで下方に延び、カートリッジの全体的な長さ方向寸法を形成する。
【００４８】
組み立てる場合、技術的部分１２を下から被覆部分１１に挿入し、内側ショルダに当接させる（図７参照）。
【００４９】
被覆部分１１と技術的部分１２とは、金属または射出成形プラスチックで形成されてもよい。被覆部分１１と技術的部分１２とは接着によって互いに固定されてもよい。被覆部分１１と技術的部分１２とは一体化されてもよい。
【００５０】
さらに、外側チューブ１は、その第１の長手方向端部Ｐの所に周方向結合縁部１Ｃを備え、周方向結合縁部１Ｃの機能については後述する。
【００５１】
制御スリーブ２も概ね円筒形状を有する。制御スリーブ２は外側チューブ１の内側円筒状壁に接触するように配置される。図１１に示すように、制御スリーブ２は、通常の概ね円筒形状の本体２Ａを備える。制御スリーブ２は、この本体２Ａ上に、直径方向に対向する通し長穴である２つの長手方向案内長穴２Ｂを備える。各長手方向案内長穴２Ｂは、長手方向軸Ｘに平行に延びている。各長手方向案内長穴２Ｂは、その第１の長手方向端部Ｐおよび第２の長手方向端部Ｓの所に、その長手方向寸法と比較して短い距離だけ軸（Ｘ）に垂直に延びており、後述のようにレセプタクル３用の２つの移動端位置２Ｃ、２Ｄを画定する。移動端位置２Ｃは、移動端位置２Ｄよりもカートリッジ１３の第１の長手方向端部Ｐに相対的に近い。
【００５２】
さらに、本体２Ａは、その第１の長手方向端部Ｐの半径方向周辺上にフランジ２Ｅを備える。２Ｅフランジの機能については後述する。
【００５３】
さらに、制御スリーブ２は、本体２Ａの後に続けて配置され、制御スリーブ２の第２の長手方向端部Ｓを形成する結合部材２２を備える。
【００５４】
ベースとカートリッジとが取外し不能に結合された分配デバイス用のベースに、結合部材２２を使用して制御スリーブ２を結合できることに留意されたい。このことを実現するために、結合部材２２は、複数の結合溝２３を備える円筒状壁を備える。
【００５５】
さらに、結合部材２２は、制御スリーブ２が好ましくはプラスチック材料を射出成形することによって形成されることに起因して、ベースとカートリッジとが結合されたときにベースに対向する壁上にオリフィス２４を備える。
【００５６】
本発明の場合、外側チューブ１および特に被覆部分１１の第２の円筒状部分１１Ｂがこの結合部材２２を囲む。したがって、有利なことに、本発明による分配デバイス１０は、ベースとカートリッジとが取外し不能に結合された分配デバイス１０も適した制御スリーブ２を実装することができる。さらに、結合部材はまた、制御スリーブ２を底部要素４に結合する働きをする。
【００５７】
口紅のスティックＰＣ用のレセプタクル３は、本明細書では収容カップの形である。さらに、レセプタクル３は、通常の概ね円筒形状を有し、言い換えれば、長手方向軸Ｘに沿って一定の直径を有する本体３Ａを備える。図１０に示すように、レセプタクル３は、直径方向に対向し、レセプタクル３から半径方向外側に延びる２つの案内スタッド３６を本体３Ａの外面上に備える。２つの案内スタッド３６の機能については後述する。レセプタクル３はまた、射出成形プラスチックを含むことが好ましい。
【００５８】
底部要素４は、カートリッジ１３の第２の長手方向端部Ｓを占有する。さらに、底部要素４は、ベース８に結合するための第１の手段を備える。底部要素４はまた、底部要素４と制御スリーブ２とが一体で回転するように制御スリーブ２に結合するための第２の手段を備える。
【００５９】
図示の実施形態によれば、ベース８に結合するための第１の手段は、底部要素４の半径方向周辺リム４Ｍを備える。
【００６０】
図７〜図１１に示す例では、半径方向周辺リム４Ｍは、磁気結合／保持手段を形成し、この目的のためにフェライトを含み、言い換えれば、より一般的には、入射磁界の影響下で誘導的に磁化することができる強磁性材料を含む。
【００６１】
より詳細には、強磁性材料は、受動磁気特性を有する材料であり、言い換えれば、通常の条件下では永久磁界を誘導せず磁石によって引き付けられる材料である。
【００６２】
たとえば、そのような強磁性材料の粒子が、成形されるプラスチック基板に挿入されてもよい。
【００６３】
たとえば、成形されるプラスチック基板は、ポリプロピレン（PP）、ポリエチレンテレフタレート（PET）、ポリ塩化ビニル（PVC）、または成形および／もしくは射出成形に適した任意の他のポリマーなどの熱可塑性材料である。受動磁気粒子は、たとえば、鉄粒子、フェライト粒子、または不動態化された酸化鉄粒子であってもよい。
【００６４】
図１〜図６に示す代替解決手段によれば、底部要素４は、本明細書では磁石ＭＣの形態である永久的に磁化された要素を備えてもよい。磁石ＭＣは、概ねリング形状を有し、底部要素４の半径方向周辺リム上で長手方向軸Ｘの周りを周方向に延びている。
【００６５】
一実施形態では、磁石ＭＣは基本的に、鉄、特に、フェライトの形態の鉄、たとえば、ストロンチウムフェライトまたはバリウムフェライトを含む。いくつかの変形実施形態によれば、磁石ＭＣは、ニオジミウムと鉄とホウ素との合金、またはアルミニウムとニッケルとコバルトとの合金、または上述の材料もしくは合金のうちの１つを含む粉末を含有するポリマー材料を含む。いくつかの変形実施形態によれば、磁石ＭＣは、入射磁界によって磁化される強磁性材料の一部であってもよい。
【００６６】
強磁性材料で作られた磁石またはリングＭＣは、ベース８とカートリッジ１３とが結合されたときにベース８の平壁５Ｂに対向する底部要素４の面上に配置される。
【００６７】
この位置では、結合位置における空隙が０.５ｍｍ未満であり、好ましくは０.２ｍｍ未満である。本発明者は、磁界の作用下の２つの要素間の引力が上記の空隙距離の立方体では弱くなることを認識し、できるだけ小さい空間を得ることを目指し、実際には、図１１に仮想線で示すように強磁性材料のリングＭＣを磁石９に直接接触させることを目指す。
本発明の第２の実施形態によれば、ベース８に結合するための第１の手段は、図１０に示す錠前の形をした部分４７を有する結合部材４Ｂを備える。
【００６８】
本発明のいくつかの実施形態によれば、制御スリーブ２に結合するための第２の手段は、中央平面内を延び、結合部材２２を支持する支持部４Ａを備え、したがって、結合部材２２は、制御スリーブ２の第２の長手方向端部Ｓを形成する。この支持部４Ａは周方向に存在する。
【００６９】
第１の実施形態によれば、制御スリーブ２に結合するための第２の手段は、少なくとも１つの相補型部材と協働する少なくとも１つの舌部４Ｃ、たとえば、制御スリーブ２の結合部材２２の舌部を備える。
【００７０】
第２の実施形態によれば、制御スリーブ２に結合するための第２の手段は、舌部４Ｃの形状に近い形状を有する部材４Ｄを備え、部材４Ｄはまた、制御スリーブ２の結合部材２２に相補的な形状を有する少なくとも１つの部材と協働する。
【００７１】
結合するためのこれらの第２の手段は、軸方向においてレセプタクル３に対向する面によって保持される。
【００７２】
さらに、底部要素４は、カートリッジ１３の第２の長手方向端部Ｓを介したカートリッジ１３の内部へのアクセスを閉じる。したがって、底部要素４はカートリッジ１３の底部を形成する。一変形実施形態によれば、底部要素４は、たとえば、中央平面内を延びる外側チューブ１のフランジ付き縁部に係合することによって、カートリッジ１３の内部へのアクセスを閉じることに寄与する。
【００７３】
したがって、カートリッジ１３がベース８から外されたときでも、口紅のスティックＰＣは、カートリッジ１３の第２の長手方向端部Ｓを介してカートリッジ１３に進入する場合がある粒子から保護される。
【００７４】
図１１に示す底部要素の中央部４Ａが基本的に、厚さの小さい平坦な円板４１であることに留意されたい。さらに、平坦な円板から上向きに延びる、制御スリーブ２に取り付けられる（特に結合部材２２に取り付けられる）スナップ嵌めタブ４８がある。
【００７５】
様々な実施形態では、外側チューブ１は、半径方向において底部要素４を囲み、底部要素４の高さ全体に沿って長手方向に延びている。この場合、カートリッジ１３の第２の円筒状部分は底部要素４を備える。さらに、底部要素４の半径方向縁部は、外側チューブ１の半径方向内面に直接接触する。したがって、特に図１〜図６を見るとわかるように、底部要素４は、外側チューブ１とともに、カートリッジ１３の第２の長手方向端部Ｓを形成する。
【００７６】
有利な変形実施形態によれば、底部要素４は、カートリッジ１３の第２の長手方向端部Ｓから離れた位置に配置され、第２の長手方向端部Ｓから奥まっていることに留意されたい。
【００７７】
次に、ベース８とカートリッジ１３との取外し可能な結合についてより厳密に説明する。
【００７８】
第１および第２の実施形態によれば、ベース８とカートリッジ１３とが取外し可能に結合されたときに、ベース８の磁石ＭＢと底部要素４の磁石ＭＣとは、互いに対向するように配置される。さらに、磁石ＭＢと磁石ＭＣとの対向する側面は互いに逆の極性を有する。したがって、磁石ＭＢと磁石ＭＣとは、協働して、ベース８とカートリッジ１３とを取外し可能に結合する力を発生させる。第１の実施形態によれば、この結合力は、ベース８と底部要素４とを固定するのに十分な力であり、それによって、ベース８と底部要素４とは、長手方向軸Ｘの周りを一体で回転する。
【００７９】
第２の実施形態によれば、ベース８の結合要素６の鍵型部材６７は、底部要素４の錠前型部分４７を有する結合部材４Ｂに係合する。この係合はまた、ベース８および底部要素４の固定に寄与し、それによって、ベース８と底部要素４とは長手方向軸Ｘの周りを一体で回転するようになる。
【００８０】
ベース８の結合要素６および底部要素４の結合部材４Ｂのそれぞれの鍵形状および錠前形状が任意の種類であってもよいことに留意されたい。たとえば、これらの形状は、図１２に示すような"Ａ"、もしくは"Ｘ"、"Ｃ"を表すことがあり、または場合によっては、"Ｏ"を表すことがある。
【００８１】
第３の変形実施形態によれば、特に図１１を参照すると、ベースとカートリッジとの間の磁気的および機械的インターフェースが、非結合構成（実線）および結合構成（点線）でより詳細に示されている。結合要素６は、スナップ嵌めによって永久磁石９を取り付けるためにベース要素７に関連付けられる。ベース要素７は、上向きに開放され、結合要素から下向きに突き出るスナップ嵌めタブ６０を収容するように設計された環状溝７０を備える。ベース要素７は、保護シェル５に接着または固定されてもよい。ベース要素の外側リム７８は、保護シェル５に係合して保護シェル５を少なくとも一体で回転するように固定するリブ７２を備える。
【００８２】
スナップ嵌めタブ６０は、ビード６３と環状溝６４とを備える。ビード６３は、ベース要素７の相補型環状溝７３内に収容される。環状溝６４は、ベース要素７の相補型ビード７４を収容する。これによって、頑丈で耐久性のあるスナップ嵌めが形成される。したがって、有利なことに、接着剤を使用せずに信頼性および耐久性の高いアセンブリが形成される。
【００８３】
さらに、要素９をベース要素７の外側リム７８に接して所定の位置に保持するためのショルダを形成する上部環状縁部６２が設けられる。上部環状縁部６２は、周方向において連続的であってもまたは非連続的であってもよい。
【００８４】
ベース要素の外径Ｄ７２は、値［１５ｍｍ〜１７ｍｍ］の範囲内であることが好ましい。この直径Ｄ７２は好ましくは有利なことに、制御スリーブの結合部材の直径Ｄ２２と同一であり、それによってアセンブリ手段を最適化することが可能になることに留意されたい。
【００８５】
ベース要素の内径Ｄ７０は、値［８ｍｍ〜１２ｍｍ］の範囲内であることが好ましい。
【００８６】
永久磁石の上面９Ｂと底部要素のフェライトリング４Ｂの下面とを分離する、ｅとして示された空隙を考えた場合、結合構成では、これは好ましくは０.５ｍｍ未満であり、または場合によってはゼロに近い。
【００８７】
図１１の例では、結合要素６による底部要素４の回転駆動は、結合位置において底部要素４の相補型筋部４２内に収容される筋部６６によって、周辺領域において実現される。別の解決手段は、磁気手段の接触領域において十分な摩擦領域を設ける（磁石ＭＢ対フェライトリング４Ｂ）ことからなる。
【００８８】
次に、分配デバイス１０の動作、特に口紅のスティックＰＣにアクセスすることについて説明する。したがって、以下ではカートリッジ１３の各部材の互いに対する移動について説明する。
【００８９】
制御スリーブ２のフランジ２Ｅは、図１〜図６に示すように外側チューブ１の周方向結合縁部１Ｃに係合して、特に、制御スリーブ２を外側チューブ１に対して長手方向軸Ｘに沿って並進可能にロックする機能を有する。さらに、制御スリーブ２は、外側チューブ１に対して長手方向軸Ｘの周りを回転可能である。
【００９０】
底部要素４は、制御スリーブ２に対して、長手方向軸Ｘの周りを一体で回転する。したがって、ベース８とカートリッジ１３とが取外し可能に結合されたときに、ベース８と制御スリーブ２とは長手方向軸Ｘの周りを一体で回転する。
【００９１】
さらに、レセプタクル３は、外側チューブ１の螺旋溝１２Ａおよび制御スリーブ２の長手方向案内長穴２Ｂに係合する。このことを実現するために、レセプタクル３の２つの案内スタッド３６の各々は、制御スリーブ２の２つの長手方向案内長穴２Ｂのうちの１つに係合し、前記長穴を横断する。したがって、レセプタクル３は、案内スタッド３６用の２つの移動端位置２Ｃおよび２Ｄ間において、制御スリーブ２に対して長手方向に並進移動可能である。さらに、各案内スタッド３６は、前記溝内に配置されたときに外側チューブ１の２つの螺旋溝１２Ａのうちの１つに係合する。したがって、レセプタクル３は、長手方向軸Ｘの周りを回転移動可能であり、かつ外側チューブ１に対して長手方向に並進移動可能である。
【００９２】
したがって、制御スリーブ２が長手方向軸Ｘに対して外側チューブ１に対する回転を開始すると、レセプタクル３の各案内スタッド３６は、螺旋溝１２Ａおよび長手方向溝２Ｂに沿って移動する。したがって、レセプタクル３は、長手方向軸Ｘの周りの回転および外側チューブ１に対する長手方向への並進移動を開始する。
【００９３】
したがって、ユーザは、レセプタクル３を外側チューブ１に対して長手方向に移動させ、たとえば、口紅のスティックＰＣを外側チューブ１の第１の長手方向端部Ｐを越えて突き出させたいときには、外側チューブ１をロックして長手方向への並進および長手方向軸Ｘの周りの回転を妨げる。次に、ユーザは、外側チューブ１に対する長手方向軸Ｘの周りの回転運動をベース８の保護シェル５に加える。したがって、底部要素４と制御スリーブ２とは、外側チューブ１に対する長手方向軸Ｘの周りの回転を開始する。次いで、レセプタクル３の各案内スタッド３６は、螺旋溝１２Ａおよび長手方向案内長穴２Ｂに沿って移動する。したがって、レセプタクル３は長手方向においてカートリッジ１３に沿って移動する。したがって、カートリッジ１３に対するベース８の相対的な回転によって、口紅のスティックＰＣ用のレセプタクル３が、外側チューブ１に対してカートリッジ１３の長手方向軸Ｘに沿って移動することを見るとわかる。
【００９４】
もちろん、本発明には、その範囲から逸脱せずに多数の変形を適用することができる。
【００９５】
具体的には、底部要素４と制御スリーブ２とは一体化されてもよい。
【００９６】
有利なことに、図６に示すように、小さい異物が前方から進入し口紅のスティックを汚染するのを防止するために小さいプラグ９５またはキャップが設けられる。
【符号の説明】
【００９７】
１  外側チューブ
１Ａ  第１の円筒状部分
１Ｂ  第２の円筒状部分
１Ｃ  周方向結合縁部
２  制御スリーブ
２Ａ  本体
２Ｂ  長手方向案内長穴
２Ｃ、２Ｄ  移動端位置
２Ｅ  フランジ
３  レセプタクル
３Ａ  本体
４  底部要素
４Ａ  支持部
４Ｂ  第１の平坦部分、結合部材、フェライトリング、強磁性材料のリング
４Ｃ  舌部
４Ｄ  部材
４Ｍ  半径方向周辺リム
５  保護シェル
５Ａ  円筒状壁
５Ｂ  平壁
６  結合部材、結合要素、プラスチック部分
７  伝達要素、ベース要素
８  ベース
９  磁石
９Ｂ  上面
１０  化粧品分配デバイス
１１  被覆部分
１１Ａ  第１の円筒状部分
１１Ｂ  第２の円筒状部分
１１Ｃ  下縁部、底縁部
１２  技術的部分
１２Ａ  螺旋溝
１３  カートリッジ、管状カートリッジ
１５  キャップ
２２  制御スリーブ、結合部材
２３  結合溝
２４  オリフィス
３６  案内スタッド
４１  平坦な円板
４２  相補型筋部
４７  錠前の形をした部分、錠前型部分、結合部材
４８  スナップ嵌めタブ
６０  スナップ嵌めタブ
６２  上部環状縁部
６３  ビード
６４  環状溝
６６  筋部
６７  部材、鍵型部材
７０  環状溝
７２  リブ、プラスチック部分
７３  環状溝、相補型環状溝
７４  相補型ビード
７８  外側リム
９５  小さいプラグ
Ｄ２２  直径
Ｄ７０  内径
Ｄ７２  直径、外径
Ｄ９１  内径
Ｄ９２  外径
ｅ  空隙
ＭＢ  磁石、磁石のリング
ＭＣ  磁石、強磁性材料で作られた磁石またはリング、結合部材
Ｐ  第１の長手方向端部
ＰＣ  口紅のスティック
Ｓ  第２の長手方向端部
Ｘ  長手方向軸
【図１】
2021505318.tif 000003
【図２】
2021505318.tif 000004
【図３】
2021505318.tif 000005
【図４】
2021505318.tif 000006
【図５】
2021505318.tif 000007
【図６】
2021505318.tif 000008
【図７】
2021505318.tif 000009
【図８】
2021505318.tif 000010
【図９】
2021505318.tif 000011
【図１０】
2021505318.tif 000012
【図１１】
2021505318.tif 000013
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
化粧品（ＰＣ）へのアクセスを可能にするための第１の長手方向端部（Ｐ）と、長手方向軸（Ｘ）に関して反対側の第２の長手方向端部（Ｓ）とを備える、化粧品（ＰＣ）用の管状のカートリッジ（１３）であって、
当該カートリッジ（１３）が、
少なくとも１つの螺旋溝（１２Ａ）を備える外側チューブ（１）と、
少なくとも１つの長手方向案内長穴（２Ｂ）を備える制御スリーブ（２）と、
前記外側チューブ（１）の前記螺旋溝（１２Ａ）および前記制御スリーブ（２）の前記長手方向案内長穴（２Ｂ）に係合する、化粧品（ＰＣ）用のレセプタクル（３）と、
前記制御スリーブ（２）と一体で回転する底部要素（４）と、
をさらに備え、
当該カートリッジ（１３）に対するベース（８）の相対的な回転によって、化粧品（ＰＣ）用の前記レセプタクル（３）が前記外側チューブ（１）に対して当該カートリッジ（１３）の前記長手方向軸（Ｘ）に沿って移動するように、前記ベース（８）に取外し可能に結合されるように構成された、管状カートリッジ（１３）において、
前記底部要素（４）が、当該カートリッジ（１３）の前記第２の長手方向端部（Ｓ）を介した当該カートリッジ（１３）へのアクセスの閉鎖に寄与し、前記底部要素（４）が、当該カートリッジが前記ベースに結合されたときに当該カートリッジと前記ベースとの間に保持力を発生させることに寄与するように構成された強磁性材料または磁石のリング（４Ｂ、ＭＢ）を備え、前記底部要素（４）が、半径方向外側で前記外側チューブ（１）によって覆われていることを特徴とする、カートリッジ（１３）。
【請求項２】
前記底部要素（４）が、当該カートリッジ（１３）の前記第２の長手方向端部（Ｓ）を介した当該カートリッジ（１３）へのアクセスを閉鎖していることを特徴とする、請求項１に記載のカートリッジ（１３）。
【請求項３】
前記底部要素（４）の外側半径方向縁部が、前記外側チューブ（１）の内側半径方向表面と直接滑り接触していることを特徴とする、請求項１または２に記載のカートリッジ（１３）。
【請求項４】
前記外側チューブ（１）が、実質的に当該カートリッジ（１３）の高さ全体に沿って延びていることを特徴とする、請求項１から３のいずれか一項に記載のカートリッジ（１３）。
【請求項５】
前記底部要素（４）が、当該カートリッジ（１３）の前記第２の長手方向端部（Ｓ）から離れた位置に配置され、前記第２の長手方向端部（Ｓ）から奥まっていることを特徴とする、請求項１から４のいずれか一項に記載のカートリッジ（１３）。
【請求項６】
前記底部要素（４）が、化粧品（ＰＣ）用の前記レセプタクル（３）に対向する第１の面と、長手方向において反対側の第２の面とを備え、前記第２の面が、前記ベース（８）に係合するように構成された結合部材（ＭＣ、４Ｂ、４７）を備えていることを特徴とする、請求項１から５のいずれか一項に記載のカートリッジ（１３）。
【請求項７】
結合部材（ＭＣ、４Ｂ、４７）が、前記ベース（８）の動作部材（６）と係合するように構成された３次元符号化パターン（４７）を含み、前記動作部材（６）が対応３次元符号化パターンを含むことを特徴とする、請求項１から６のいずれか一項に記載のカートリッジ（１３）。
【請求項８】
前記化粧品（ＰＣ）が口紅のスティックであることを特徴とする、請求項１から７のいずれか一項に記載のカートリッジ（１３）。
【請求項９】
前記底部要素（４）が、実質的に平坦な中央外面を有していることを特徴とする、請求項１から８のいずれか一項に記載のカートリッジ（１３）。
【請求項１０】
化粧品（ＰＣ）用の分配デバイス（１０）であって、請求項１から９のいずれか一項に記載のカートリッジ（１３）と、ベース（８）、好ましくは口紅のスティックとを備え、前記カートリッジ（１３）と前記ベース（８）とが取外し可能に結合されていることを特徴とする、分配デバイス（１０）。
【請求項１１】
前記カートリッジが前記ベースに結合されたときに前記カートリッジと前記ベースとの間に保持力を発生させることに寄与するために、前記ベース（８）内に、関連ベース要素（４）の強磁性材料または磁石のリング（４Ｂ、ＭＢ）に関連付けられた、永久磁石（９、ＭＢ）または強磁性材料のリングが設けられていることを特徴とする、請求項１０に記載の分配デバイス（１０）。
【請求項１２】
ベース上に組み立てられる構成において、前記ベース（８）の永久磁石（９、ＭＢ）または強磁性材料のリングの上面（９Ｂ）と、前記関連ベース要素（４）の強磁性材料のリングまたは磁石（４Ｂ、ＭＢ）とを分離する空隙（ｅ）を表す間隔が０.５ｍｍ未満であり、好ましくは０.２ｍｍ未満であることを特徴とする、請求項１１に記載の分配デバイス（１０）。
【請求項１３】
前記カートリッジが、請求項７から９のいずれか一項に記載のカートリッジであり、前記カートリッジ（１３）に対する前記ベース（８）の相対的な回転によって、化粧品（ＰＣ）用の前記レセプタクル（３）が、前記カートリッジ（１３）の長手方向軸（Ｘ）に沿って移動するように、前記ベース（８）の動作部材（６）が、前記底部要素（４）の結合部材（ＭＣ、４Ｂ、４７）に結合され得ることを特徴とする、請求項１０から１２のいずれか一項に記載の分配デバイス（１０）。
【請求項１４】
３次元符号化パターン（６７）および対応３次元符号化パターン（４７）はそれぞれ、８ｍｍ未満、好ましくは、７ｍｍ未満の直径（Ｄ６）を有する円筒内、さらに好ましくは、６ｍｍ未満の直径（Ｄ６）を有する円筒内に囲まれていることを特徴とする、請求項１３に記載の分配デバイス（１０）。
【請求項１５】
３次元符号化パターン（６７）が雄部を形成し、対応３次元符号化パターン（４７）が雌部を形成していることを特徴とする、請求項１３または１４の化粧品用の分配デバイス（１０）。
【請求項１６】
動作部材（６）の３次元符号化パターンが鍵形状（６７）を有し、対応動作部材（４Ａ）の対応３次元符号化パターンが錠前形状（４７）を有していることを特徴とする、請求項１５の化粧品用の分配デバイス（１０）。
【国際調査報告】
2021505318.tif 000014
2021505318.tif 000015
2021505318.tif 000016
2021505318.tif 000017
2021505318.tif 000018